(57)【要約】【課題】半田付け作業性及び特性インピーダンスを改善することができるケーブルコネクタを提供すること。【解決手段】絶縁性のブロック体５２の背面側（Ｙ２側）に、第１、第２の信号コンタクト５３、５４の一部である第１、第２の信号ワイヤ接続用部分５３ｃ、５４ｃ、並びにグランドコンタクト５５Ａの一部である板状部５５ｃ及びドレンワイヤ接続用部分５５Ａｄが突き出している。第１、第２の信号ワイヤ２３−１、２３−２は、第１、第２の信号ワイヤ接続用部分５３ｃ、５４ｃの側板部５３ｃ２、５４ｃ２と第１、第２の溝部６１Ａ、６２Ａの一方の側面との間に配置されて位置決めされる。また、ドレンワイヤ２５は、ドレンワイヤ接続用部分５５Ａｄの側板部５５０Ａｄ２とスリット６３Ａの一方の側面との間に配置されて位置決めされる。【選択図】図９
2010097841.tif 000002
【特許請求の範囲】
【請求項１】
第１、第２の信号ワイヤとドレンワイヤとを有するペア電線を複数本有する平衡伝送用ケーブルと、
絶縁性のブロック体に、列方向に対向する第１、第２の信号コンタクトとグランドコンタクトとが行方向に交互に並んで組み込まれ、前記ブロック体の背面側に、前記第１、第２の信号コンタクトの一部である第１、第２の信号ワイヤ接続用部分、並びに前記グランドコンタクトの一部である板状部及びドレンワイヤ接続用部分が突き出すコンタクト組立体と、
前記第１、第２の信号ワイヤ接続用部分がそれぞれ取り付けられる第１、第２の溝部と、前記板状部が取り付けられるスリットとを備え、前記ブロック体の背面側に取り付けられる絶縁性のスペーサとを備え、
前記第１、第２の信号ワイヤ接続用部分は、それぞれ、前記第１、第２溝部の一方の側面と離間して対向する側板部を備え、
前記第１、第２の信号ワイヤは、それぞれ、前記第１、第２の信号ワイヤ接続用部分の側板部と前記第１、第２溝部の一方の側面との間に配置されて位置決めされ、
前記ドレンワイヤ接続用部分は、前記スリットの一方の側面と離間して対向する側板部を備え、
前記ドレンワイヤは、前記ドレンワイヤ接続用部分の側板部と前記スリットの一方の側面との間に配置されて位置決めされる平衡伝送用ケーブルコネクタ。
【請求項２】
前記第１、第２の溝部内の背面側には、前記第１、第２の信号ワイヤ接続用部分の先端を挟持する一対の突出部が設けられる請求項１記載の平衡伝送用ケーブルコネクタ。
【請求項３】
前記平衡伝送用ケーブルコネクタが接続される相手コネクタに嵌合可能なフック部を備え、一端が前記コンタクト組立体に支持される一対のロックアームと
前記コンタクト組立体、前記一対のロックアーム、及び前記スペーサを囲むシールドカバー組立体と、
前記シールドカバー組立体を覆うアウタカバーと、
前記シールドカバー組立体の内部に配置され、前記シールドカバー組立体の背面側の隙間を塞ぐインナーキャップとを更に備え、
前記シールドカバー組立体は、第１のシールドカバーと、第２のシールドカバーとを備え、
前記第１のシールドカバーは、天板部と、背面側に前記平衡伝送用ケーブルをクランプするリング部と備え、
前記第２のシールドカバーは、底板部と、背面側に前記平衡伝送用ケーブルが挿通される窓部が形成された背板部とを備え、
前記インナーキャップは、第１のインナーキャップハーフと、第２のインナーキャップハーフとを備え、
前記第１のインナーキャップハーフは、前記底板部と面接触する基板部と、両側に前記シールドカバー組立体の一対の側壁の各々にそれぞれ嵌合される一対の嵌合部と、背面側に前記平衡伝送用ケーブルが挿通される窓部が形成された背板部とを備え、
前記第２のインナーキャップハーフは、前記天板部と面接触する基板部と、両側に一対の対向部とを備え、
前記一対の対向部の外面は、前記一対の嵌合部の内面と離間して対向し、
前記一対の対向部の外面と前記一対の嵌合部の内面との間に存在する一対の空間の各々に、前記一対のロックアームの各々の他端が収容され、
前記一対の対向部の間には、前記平衡伝送用ケーブルが挿通される請求項１又は２記載の平衡伝送用ケーブルコネクタ。
【発明の詳細な説明】
【技術分野】
【０００１】
本発明は、絶縁性のブロック体に列方向に対向する第１、第２の信号コンタクトとグランドコンタクトとが行方向に交互に並んで組み込まれ、第１、第２の信号コンタクト及びグランドコンタクトの各々と平衡伝送用ケーブルの端の第１、第２の信号ワイヤ及びドレンワイヤの各々とが接続される平衡伝送用ケーブルコネクタに関する。
【背景技術】
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されている。
【０００３】
図１は、従来の平衡伝送用ケーブルコネクタを概略的に示す斜視図である。図２は、図１の平衡伝送用ケーブルコネクタを分解して示す斜視図である。図３は、平衡伝送用ケーブル２０の断面図である。図４は、平衡伝送用ケーブル２０の端とコンタクト組立体５１との接続部分を示す図であり、（Ａ）は斜視図、（Ｂ）は（Ａ）のＡ−Ａ線に沿った断面図である。各図中、Ｘ１−Ｘ２、Ｙ１−Ｙ２、Ｚ１−Ｚ２は、各々、平衡伝送用ケーブルコネクタの幅方向、長手方向、高さ方向である。
【０００４】
平衡伝送用ケーブルコネクタは、図１及び図２に示すように、平衡伝送用ケーブル２０と、コンタクト組立体５１と、一対のロックアーム５６、５７と、スペーサ６０と、シールドカバー組立体８０と、フード１００と、アウタカバー１１０と、インナーキャップ４００とを備える（例えば、特許文献１参照）。
【０００５】
平衡伝送用ケーブル２０は、図３に示すように、外部被覆２７と遮蔽網線２８とよりなる二重被覆構造のチューブの内部に複数のペア電線２１を備える。各ペア電線２１は、平衡信号伝送用の対をなす絶縁被覆信号電線２２−１、２２−２とドレンワイヤ２５とが螺旋状に巻かれた金属テープによって束ねられてシールドされている構造である。各ペア電線２１の端からは、絶縁被覆信号電線２２−１、２２−２とドレンワイヤ２５とが外側に延びており、絶縁被覆信号電線２２−１、２２−２の先端は処理されて第１及び第２の信号ワイヤ２３−１、２３−２が露出している。
【０００６】
コンタクト組立体５１は、図４に示すように、絶縁性のブロック体５２に、列方向（Ｚ１−Ｚ２方向）に対向する第１、第２の信号コンタクト５３、５４と、グランドコンタクト５５とが行方向（Ｘ１−Ｘ２方向）に交互に並んで組み込んである構成である。また、ブロック体５２のＸ１−Ｘ２方向の両端には、一対のロックアーム５６、５７のＹ１側端が組み込まれる。
【０００７】
第１、第２の信号コンタクト５３、５４は、それぞれ、ブロック体５２の背面側（Ｙ２側）に突出する第１、第２の信号ワイヤ接続用部分５３ｃ、５４ｃを備える。第１、第２の信号ワイヤ接続用部分５３ｃ、５４ｃは、断面Ｌ字状である。
【０００８】
グランドコンタクト５５は、ブロック体５２の背面側（Ｙ２側）に突出する板状部５５ｃ及びドレンワイヤ接続用部分５５ｄを備える。ドレンワイヤ接続用部分５５ｄは、３つのラグ５５ｄ１、５５ｄ２、５５ｄ３からなる。この３つのラグ５５ｄ１、５５ｄ２、５５ｄ３は、Ｘ１方向とＸ２方向とに交互に曲げられて、Ｙ２側からみてＵ字状に形成される。
【０００９】
スペーサ６０は、コンタクト組立体５１の背面側（Ｙ２側）に取り付けられ、第１、第２のワイヤ接続用部分５３ｃ、５４ｃ及び板状部５５ｃを位置決めするものである。スペーサ６０は、第１の信号ワイヤ接続用部分５３ｃに対応する第１の溝部６１と、第２の信号ワイヤ接続用部分５４ｃに対応する第２の溝部６２と、板状部５５ｃに対応するスリット６３とを備える。
【００１０】
第１、第２の信号ワイヤ接続用部分５３ｃ、５４ｃは断面Ｌ字状であるので、各信号ワイヤ２３−１、２３−２は信号ワイヤ接続用部分５３ｃ、５４ｃの内側のコーナ部にて位置決めされた状態で半田付けされる。また、ドレンワイヤ接続用部分５５ｄはＵ字状であるので、ドレンワイヤ２５はドレンワイヤ接続用部分５５ｄに位置決めされた状態で半田付けされる。
【００１１】
この構成によれば、第１、第２の信号ワイヤ２３−１、２３−２を、中継基板を介さずに、第１、第２の信号コンタクト５３、５４に直接接続することができ、クロストーク特性を改善することができる。
【００１２】
図５は、インナーキャップ４００及びシールドカバー組立体８０を分解して示す斜視図である。図６は、インナーキャップ４００とシールドカバー組立体８０との間の隙間が塞がれている状態を示す図であり、（Ａ）はＹ２側から見た図、（Ｂ）は（Ａ）のＢ−Ｂ線に沿った断面図、（Ｃ）は（Ａ）のＣ−Ｃ線に沿った断面図である。
【００１３】
シールドカバー組立体８０は、Ｚ１側の第１のシールドカバー８１とＺ２側の第２のシールドカバー９０とが組み合わされた構成である。シールドカバー組立体８０は、コンタクト組立体５１、一対のロックアーム５６、５７、及びスペーサ６０を囲む。
【００１４】
インナーキャップ４００は、シールドカバー組立体８０の内部のＹ２側に配置され、フード１００及びアウタカバー１１０をシールドカバー組立体８０にアウトサート成形する際に、樹脂がシールドカバー組立体８０のＹ２側の隙間から内部に流れ込むことを防ぐものである。
【００１５】
インナーキャップ４００は、Ｚ１側の第１のインナーキャップハーフ４０１と、Ｚ２側の第２のインナーキャップハーフ４１０とが組み合わされた構成である。
【００１６】
第１のインナーキャップハーフ４０１は、Ｚ１側に基板部４０２と、Ｘ１側及びＸ２側に一対の嵌合部４０３、４０４と、Ｙ２側に背板部４０５とを備える。嵌合部４０３、４０４は、外面にリブ４０３ｃ、４０３ｄ、４０４ｃ、４０４ｄを備える。リブ４０３ｃとリブ４０３ｄ、及びリブ４０４ｃとリブ４０４ｄは、共にＺ１−Ｚ２方向に直線状に並んで延在して、嵌合部４０３、４０４の全高に亘っている。リブ４０３ｃ、リブ４０４ｃは、第２のシールドカバー９０の内面と圧接するように形成してある。リブ４０３ｄ、リブ４０４ｄは、第１のシールドカバー８１の内面と圧接するように形成してある。背板部４０５は、略半円状の窓部４０５ｂを備え、窓部４０５ｂには、平衡伝送用ケーブル２０が挿通される。
【００１７】
第２のインナーキャップハーフ４１０は、基板部４１１と、一対の対向部４１２、４１３とを備える。一対の対向部４１２、４１３の外面は、一対の嵌合部４０３、４０４の内面と離間して対向している。一対の対向部４１２、４１３の外面と一対の嵌合部４０３、４０４の内面との間の空間４２１、４２２の各々には、一対のロックアーム５６、５７の各々のＹ２側端が収納される。一対の対向部４１２、４１３の間の空間４１４には、平衡伝送用ケーブル２０が挿通される。
【００１８】
このように、インナーキャップ４００のＸ１側面、Ｘ２側面とシールドカバー組立体８０のＸ２側面、Ｘ１側面との間の隙間は、インナーキャップ４００外面に設けられたリブ４０３ｃ、４０３ｄ、４０４ｃ、４０４ｄがシールドカバー組立体８０の内面に圧接されることによって塞がれている。また、シールドカバー組立体８０のＹ２側の窓部９７ｂは、第１のインナーキャップハーフ４０１の背板部４０５及び平衡伝送用ケーブル２０によって塞がれている。
【００１９】
この構成によれば、シールドカバー組立体８０のＹ２側の隙間を塞ぐことができるので、フード１００及びアウタカバー１１０をアウトサート成形する際に、樹脂がシールドカバー組立体８０の内部に流れ込むことを防止することができる。
【００２０】
最後に、平衡伝送用ケーブルコネクタの組立工程について図７を参照して説明する。図７は、図１の平衡伝送用ケーブルコネクタの組立工程の一部を示す斜視図である。
【００２１】
まず、第１のシールドカバー８１の内部に、第１のインナーキャップハーフ４０１を組み込む。次いで、平衡伝送用ケーブル２０の端をリング部８５でクランプしながら、図７に示すように、平衡伝送用ケーブル２０の端と接続されたコンタクト組立体５１をＹ２側からＹ１方向に第１のシールドカバー８１の内部に組み込む。次いで、第２のインナーキャップハーフ４１０を第１のインナーキャップハーフ４０１と組み合わせインナーキャップ４００を組み立てる。最後に、第２のシールドカバー９０を第２のインナーキャップハーフ４１０を覆って、第１のシールドカバー８１と嵌合させてシールドカバー組立体８０を組み立てる。
【特許文献１】特開２００７−１２５８８号公報
【発明の開示】
【発明が解決しようとする課題】
【００２２】
しかしながら、上記特許文献１記載の構成によれば、図４（Ｂ）に示したように、ドレンワイヤ接続用部分５５ｄと第１、第２の信号ワイヤ接続用部分５３ｃ、５４ｃとがスペーサ６０から露出しているので、半田付けの際にドレンワイヤ接続用部分５５ｄと第１、第２の信号ワイヤ接続用部分５３ｃ、５４ｃとが誤って半田付けされる虞があり、半田付け作業性に改善の余地があった。また、図４（Ｂ）に示したように、第１、第２の信号ワイヤ接続用部分コンタクト５３ｃ、５４ｃの周囲に空気層が多いため、特性インピーダンスが規格値より高めになることがあった。
【００２３】
また、上記特許文献１記載の構成によれば、第１のシールドカバー８１に組み込まれた第１のインナーキャップハーフ４０１の窓部４０５ｂが一対のロックアーム５６、５７の間隔より小さいので、図７に示したように、組立作業の際に一対のロックアーム５６、５７を弾性変形させる必要があり、組立作業性に改善の余地があった。
【００２４】
本発明は、上記課題に鑑みてなされたものであって、半田付け作業性及び特性インピーダンスを改善することができるケーブルコネクタを提供することを第１の目的、アウトサート成形用樹脂がシールドカバー組立体の内部に流れ込むことを防止することができ、且つ、組立作業性を改善することができるケーブルコネクタを提供することを第２の目的とする。
【課題を解決するための手段】
【００２５】
前記第１の目的を達成するため、本発明の平衡伝送用ケーブルコネクタは、
第１、第２の信号ワイヤとドレンワイヤとを有するペア電線を複数本有する平衡伝送用ケーブルと、
絶縁性のブロック体に、列方向に対向する第１、第２の信号コンタクトとグランドコンタクトとが行方向に交互に並んで組み込まれ、前記ブロック体の背面側に、前記第１、第２の信号コンタクトの一部である第１、第２の信号ワイヤ接続用部分、並びに前記グランドコンタクトの一部である板状部及びドレンワイヤ接続用部分が突き出すコンタクト組立体と、
前記第１、第２の信号ワイヤ接続用部分がそれぞれ取り付けられる第１、第２の溝部と、前記板状部が取り付けられるスリットとを備え、前記ブロック体の背面側に取り付けられる絶縁性のスペーサとを備え、
前記第１、第２の信号ワイヤ接続用部分は、それぞれ、前記第１、第２溝部の一方の側面と離間して対向する側板部を備え、
前記第１、第２の信号ワイヤは、それぞれ、前記第１、第２の信号ワイヤ接続用部分の側板部と前記第１、第２溝部の一方の側面との間に配置されて位置決めされ、
前記ドレンワイヤ接続用部分は、前記スリットの一方の側面と離間して対向する側板部を備え、
前記ドレンワイヤは、前記ドレンワイヤ接続用部分の側板部と前記スリットの一方の側面との間に配置されて位置決めされる。
【００２６】
前記第２の目的を達成するため、本発明の平衡伝送用ケーブルコネクタは、
前記平衡伝送用ケーブルコネクタが接続される相手コネクタに嵌合可能なフック部を備え、一端が前記コンタクト組立体に支持される一対のロックアームと
前記コンタクト組立体、前記一対のロックアーム、及び前記スペーサを囲むシールドカバー組立体と、
前記シールドカバー組立体を覆うアウタカバーと、
前記シールドカバー組立体の内部に配置され、前記シールドカバー組立体の背面側の隙間を塞ぐインナーキャップとを更に備え、
前記シールドカバー組立体は、第１のシールドカバーと、第２のシールドカバーとを備え、
前記第１のシールドカバーは、天板部と、背面側に前記平衡伝送用ケーブルをクランプするリング部と備え、
前記第２のシールドカバーは、底板部と、背面側に前記平衡伝送用ケーブルが挿通される窓部が形成された背板部とを備え、
前記インナーキャップは、第１のインナーキャップハーフと、第２のインナーキャップハーフとを備え、
前記第１のインナーキャップハーフは、前記底板部と面接触する基板部と、両側に前記シールドカバー組立体の一対の側壁の各々にそれぞれ嵌合される一対の嵌合部と、背面側に前記平衡伝送用ケーブルが挿通される窓部が形成された背板部とを備え、
前記第２のインナーキャップハーフは、前記天板部と面接触する基板部と、両側に一対の対向部とを備え、
前記一対の対向部の外面は、前記一対の嵌合部の内面と離間して対向し、
前記一対の対向部の外面と前記一対の嵌合部の内面との間に存在する一対の空間の各々に、前記一対のロックアームの各々の他端が収容され、
前記一対の対向部の間には、前記平衡伝送用ケーブルが挿通される。
【発明の効果】
【００２７】
本発明によれば、半田付け作業性及び特性インピーダンスを改善することができるケーブルコネクタが得られる。
【００２８】
また、本発明によれば、アウトサート成形用樹脂がシールドカバー組立体の内部に流れ込むことを防止することができ、且つ、組立作業性を改善することができるケーブルコネクタが得られる。
【発明を実施するための最良の形態】
【００２９】
以下、図面を参照して、本発明を実施するための最良の形態の説明を行う。実施例の各図において、Ｘ１−Ｘ２、Ｙ１−Ｙ２、Ｚ１−Ｚ２は、各々、平衡伝送用ケーブルコネクタの幅方向、長手方向、高さ方向である。Ｙ１は背面方向（平衡伝送用ケーブル２０の側）、Ｙ２は前方（接続するときに差し込む方向）である。
尚、実施例の各図において、図１〜図７に示す構成と同一の構成には同一の符号を付し、図１〜図７に示す構成と対応する構成には添え字を付した同一の符号を付す。
【００３０】
図８は、本発明の平衡伝送用ケーブルコネクタの一実施例を分解して示す斜視図である。図９は、平衡伝送用ケーブル２０の端とコンタクト組立体５１Ａとの接続部分を示す図であり、（Ａ）は斜視図、（Ｂ）は（Ａ）のＡ−Ａ線に沿った断面図である。図１０は、コンタクト組立体５１Ａとスペーサ６０Ａとを対向させて示す斜視図である。
【００３１】
平衡伝送用ケーブルコネクタは、電算機、サーバー、交換機、コンピュータ等の電子機器を電気的に接続する装置である。例えば、平衡伝送用ケーブルコネクタは、デジタルコピー機と周辺機器との間の接続に使用されるものであり、デジタルコピー機内の回路基板上に実装してある相手コネクタ（図示せず）に差し込まれて接続される。尚、本実施例のケーブルコネクタは、ジャック型であるが、プラグ型であってもよく、ケーブルコネクタの種類に制限はない。
【００３２】
平衡伝送用ケーブルコネクタは、図８に示すように、平衡伝送用ケーブル２０と、コンタクト組立体５１Ａと、一対のロックアーム５６、５７と、スペーサ６０Ａと、シールドカバー組立体８０Ａと、フード１００と、アウタカバー１１０と、インナーキャップ４００Ａとを備える。以下、各構成について説明する。
【００３３】
［コンタクト組立体５１Ａ］
コンタクト組立体５１Ａは、図８及び図９に示すように、絶縁性のブロック体５２に、列方向（Ｚ1-Ｚ２方向）に対向する第１、第２の信号コンタクト５３、５４とグランドコンタクト５５Ａとが行方向（Ｘ１−Ｘ２方向）に交互に並んで組み込まれており、更に、Ｘ方向の両端に一対のロックアーム５６、５７が組み込んである構成である。Ｘ方向上同じ位置で、第１の信号コンタクト５３はＺ１側、第２の信号コンタクト５４はＺ２側に位置している。
【００３４】
ブロック体５２は、図１０に示すように、コンタクトが挿入される多数の孔５２ｐ、５２ｑ、５２ｓが規則的に並んで形成してある直方体部５２ａと、直方体部５２ａからＹ２方向に突き出ている一対の腕部５２ｂ、５２ｃとを備える。この腕部５２ｂ、５２ｃの間は、空間部５２ｄとなっている。腕部５２ａ、５２ｂの対向する内側には、ガイド溝５２ｅ、５２ｆが形成してある。また、腕部５２ａ、５２ｂの先端面（Ｙ２側面）には、Ｙ１方向に延びる溝５２ｇ、５２ｈ及び孔５２ｉ、５２ｊが形成してある。
【００３５】
図１１は、第１の信号コンタクト５３を示す図である。第１の信号コンタクト５３は、板状であって、バルジ部を有する中央部５３ａと、Ｙ１側のコンタクト部５３ｂと、Ｙ２側の第１の信号ワイヤ接続用部分５３ｃとを有する。
【００３６】
第１の信号ワイヤ接続用部分５３ｃは、断面Ｌ字状であり、水平板部５３ｃ１と中央部５３ａに対して平行な側板部５３ｃ２とを有する。また、側板部５３ｃ２と中央部５３ａとの間にはクランク曲げ部５３ｄがあり、側板部５３ｃ２は中央部５３ａに対して垂直な方向（Ｘ１方向）に少し偏倚している。
【００３７】
図１２は、第２の信号コンタクト５４を示す図である。第２の信号コンタクト５４は、板状であって、バルジ部を有する中央部５４ａと、Ｙ１側のコンタクト部５４ｂと、Ｙ２側の第２の信号ワイヤ接続用部分５４ｃとを有する。
【００３８】
第２の信号ワイヤ接続用部分５４ｃは、断面Ｌ字状であり、水平板部５４ｃ１と中央部５４ａに対して平行な側板部５４ｃ２とを有する。また、側板部５４ｃ２と中央部５４ａとの間にはクランク曲げ部５４ｄがあり、側板部５４ｃ２は中央部５４ａに対して垂直な方向（Ｘ１方向）に少し偏倚している。
【００３９】
複数の第１、第２の信号コンタクト５３、５４の各々は、ブロック体５２の複数の孔５２ｐ、５２ｑ（図１０参照）の各々にＹ２側から圧入されて組み込んである。
【００４０】
図１３は、グランドコンタクト５５Ａを示す図である。グランドコンタクト５５Ａは、板状であって、Ｘ方向に隣り合う信号コンタクト５３、５４の間に１つずつ配置され、信号の間でのクロストークを防止する。グランドコンタクト５５Ａは、バルジ部を有する中央部５５ａと、Ｙ１側のフォーク形状のコンタクト部５５ｂと、Ｙ２側の板状部５５ｃ及びドレンワイヤ接続用部分５５Ａｄと、Ｙ２側の端に切欠部５５ｅとを有する。
【００４１】
ドレンワイヤ接続用部分５５Ａｄは、グランドコンタクト５５ＡのＺ１端縁に、２つのラグ５５Ａｄ１、５５Ａｄ３を有する。ラグ５５Ａｄ１、５５Ａｄ３は、それぞれ、断面Ｌ字状であり、板状部５５ｃからＸ１方向に斜めに突き出る傾斜板部５５０Ａｄ１と、板状部５５ｃと平行な側板部５５０Ａｄ２とを備える。
【００４２】
複数のグランドコンタクト５５Ａの各々は、ブロック体５２の複数の孔５２ｓ（図１０参照）の各々にＹ２側から圧入されて組み込んである。
【００４３】
図９に示すように、複数の第１、第２の信号コンタクト５３、５４及びグランドコンタクト５５Ａの各々がブロック体５２に組み込まれた状態で、列方向に対向する第１、第２の信号ワイヤ接続用部分５３ｃ、５４ｃと、板状部５５ｃ及びドレンワイヤ接続用部分５５Ａｄとが、空間部５２ｄ内で行方向に交互に並んで整列する。
【００４４】
［一対のロックアーム５６、５７］
図１４は、ロックアーム５６を示す図である。ロックアーム５６は、図８及び図１４に示すように、Ｙ２側にＵ字形状部５６ａを有し、Ｕ字形状部５６ａのうちＺ１側の部分からＹ１方向に延びている腕部５６ｂを有し、腕部５６ｂの先端にフック部５６ｃを有し、腕部５６ｂのＹ２側の部分に突起部５６ｄを有する。ロックアーム５６は、Ｕ字形状部５６ａの端を孔５２ｉに差し込んで固定されて、腕部５６ｂが溝５２ｇに遊嵌した状態でブロック体５２に取り付けてある。ロックアーム５７は、ロックアーム５６と同じ形状であり、ブロック体５２に同様に取り付けてある。
【００４５】
図１４（Ｂ）に示すように、フック部５６ｃは、そのＹ２側の縁５６ｅがＹ軸線に対する角度αが鋭角となる形状を有する。換言すれば、係止する側の縁５６ｅは平衡伝送用ケーブルコネクタの先端の側とは逆の方向に傾斜している。
【００４６】
平衡伝送用ケーブルコネクタは、機器側のコネクタに接続され、フック部５６ｃが機器側のコネクタのスリットと嵌合してロックされる。角度αが鋭角であることによって、平衡伝送用ケーブルコネクタの機器側の相手コネクタに接続したときのロック状態の保持力は高い。
【００４７】
［スペーサ６０Ａ］
スペーサ６０Ａは、コンタクト組立体５１Ａの背面側（Ｙ２側）に取り付けられ、複数のワイヤ接続用部分５３ｃ、５４ｃ、５５ｄを位置決めするものである。スペーサ６０Ａは、絶縁性板部材であり、図１０に示すように、複数の第１の溝部６１Ａと、複数の第２の溝部６２Ａと、複数のスリット６３Ａと、突き出し腕部６７、６８とを備える。
【００４８】
第１の溝部６１Ａは、第１の信号ワイヤ接続用部分５３ｃに対応する形状であり、図１０に示すように、スペーサ６０ＡのＺ１側の面に形成してあり、スペーサ６０ＡをＹ１−Ｙ２方向に貫通している。第１の溝部６１Ａ内の背面側（Ｙ２側）には、第１の信号ワイヤ接続用部分５３ｃの先端を挟持する一対の突出部６１２Ａ（図９（Ａ）参照）が設けられる。
【００４９】
第１の溝部６１Ａの幅方向（Ｘ１−Ｘ２方向）寸法は、第１の信号ワイヤ接続用部分５３ｃの幅方向（Ｘ１−Ｘ２方向）寸法と比較して、僅かに大きい。第１の溝部６１Ａの深さ方向（Ｚ１−Ｚ２方向）寸法は、第１の信号ワイヤ接続用部分５３ｃの厚さ方向（Ｚ１−Ｚ２方向）寸法より十分に大きい。
【００５０】
第２の溝部６２Ａは、第２の信号ワイヤ接続用部分５４ｃに対応する形状であり、図１０に示すように、スペーサ６０ＡのＺ２側の面に形成してあり、スペーサ６０ＡをＹ１−Ｙ２方向に貫通している。第２の溝部６２Ａ内の背面側（Ｙ２側）には、第２の信号ワイヤ接続用部分５４ｃの先端を挟持する一対の突出部６２２Ａ（図９（Ａ）参照）が設けられる。
【００５１】
第２の溝部６２Ａの幅方向（Ｘ１−Ｘ２方向）寸法は、第２の信号ワイヤ接続用部分５４ｃの幅方向（Ｘ１−Ｘ２方向）寸法と比較して、僅かに大きい。第２の溝部６２Ａの深さ方向（Ｚ１−Ｚ２方向）寸法は、第２の信号ワイヤ接続用部分５４ｃの厚さ方向（Ｚ１−Ｚ２方向）寸法より十分に大きい。
【００５２】
第１の溝部６１Ａと第２の溝部６２Ａとは、同じ寸法形状であり、行方向（Ｘ１−Ｘ２方向）上同じ位置に位置している。
【００５３】
スリット６３Ａは、グランドコンタクト５５Ａの板状部５５ｃに対応する形状であり、図１０に示すように、隣り合う溝部６１Ａの間及び隣り合う溝部６２Ａの間に、Ｙ１側から切り込んで形成してある。スリット６３Ａの一方の側面には、グランドコンタクト５５Ａのドレンワイヤ接続用部分５５Ａｄに対応する凹部６３２Ａ（図９（Ａ）参照）が形成してある。６４は非スリット部であり、グランドコンタクト５５Ａの切欠部５５ｅに対応する大きさであり、スリット６３Ａの端とスペーサ６０ＡのＹ２側の面６５との間に存在している。
【００５４】
次に、コンタクト組立体５１Ａとスペーサ６０Ａとの取り付けについて説明する。スペーサ６０Ａは、第１の信号コンタクト５３、第２の信号コンタクト５４及びグランドコンタクト５５Ａがブロック体５２に組み込まれて第１の信号ワイヤ接続用部分５３ｃ、第２の信号ワイヤ接続用部分５４ｃ、板状部５５ｃ及びドレンワイヤ接続用部分５５Ａｄが空間部５２ｄ内に突き出て整列している状態で、腕部６７、６８を先頭にしてガイド溝５２ｅ、５２ｆに嵌合させて案内されてＹ１方向に最終位置まで挿入することによって取り付けられる。
【００５５】
このとき、第１、第２の信号ワイヤ接続用部分５３ｃ、５４ｃは、それぞれ第１、第２の溝部６１Ａ、６２ＡにＹ１側からＹ２方向に挿入され一対の突出部６１２Ａ、６２２Ａによって挟持される。このため、第１、第２の信号ワイヤ接続用部分５３ｃ、５４ｃの第１、第２の溝部６１Ａ、６２Ａへの挿入抵抗を低減することができると共に、第１、第２の信号ワイヤ接続用部分５３ｃ、５４ｃを確実に位置決めすることができる。
【００５６】
図９に示すように、第１の信号ワイヤ接続用部分５３ｃは、第１の溝部６１Ａと嵌合しており、Ｘ１−Ｘ２方向及びＺ２方向について位置を規制されている。第２の信号ワイヤ接続用部分５４ｃは、第２の溝部６２Ａと嵌合しており、Ｘ１−Ｘ２方向及びＺ１方向について位置を規制されている。グランドコンタクト５５Ａのうちの空間部５２ｄ内に突き出ている部分については、板状部５５ｃ及びドレンワイヤ接続用部分５５Ａｄがスリット６３Ａ内に嵌合しており、切欠部５５ｅが非スリット部６４と係合しており、ドレンワイヤ接続用部分５５Ａｄは、Ｘ１−Ｘ２方向及びＺ１−Ｚ２方向について位置を規制されている。これにより、板状部５５ｃ及びドレンワイヤ接続用部分５５Ａｄと信号ワイヤ接続用部分５３ｃ、５４ｃとの接触を防止することができる。
【００５７】
［ペア電線２１の接続］
図９（Ａ）に示すように、各ペア電線２１の端からは、絶縁被覆信号電線２２−１、２２−２とドレンワイヤ２５とが外側に延びており、絶縁被覆信号電線２２−１、２２−２の先端は処理されて第１及び第２の信号ワイヤ２３−１、２３−２が露出している。第１、第２の信号ワイヤ２３−１、２３−２がペア線を構成する。
【００５８】
第１の信号ワイヤ２３−１は、第１の溝部内６１Ａに嵌合されている第１の信号ワイヤ接続用部分５３ｃに半田付けされて接続される。第２の信号ワイヤ２３−２は、第２の溝部６２Ａによって位置を規制されている第２の信号ワイヤ接続用部分５４ｃに半田付けされて接続してある。ドレンワイヤ２５は、スリット６３Ａによって位置を規制されているドレンワイヤ接続用部分５５Ａｄに半田付けされて接続してある。
【００５９】
図９（Ｂ）に示すように、第１、第２の信号ワイヤ接続用部分５３ｃ、５４ｃの側板部５３ｃ２、５４ｃ２は、それぞれ、第１、第２の溝部６１Ａ、６２Ａの一方の側面と離間して対向している。このため、第１、第２の信号ワイヤ２３−１、２３−２は、第１、第２の信号ワイヤ接続用部分５３ｃ、５４ｃの側板部５３ｃ２、５４ｃ２と第１、第２の溝部６１Ａ、６２Ａの一方の側面との間に配置されて位置決めされた状態で半田付けされる。また、ドレンワイヤ接続用部分５５Ａｄの側板部５５０Ａｄ２は、スリット６３Ａの一方の側面と離間して対向している。このため、ドレンワイヤ２５は、ドレンワイヤ接続用部分５５Ａｄの側板部５５０Ａｄ２とスリット６３Ａの一方の側面との間に配置されて位置決めされた状態で半田付けされる。
【００６０】
このように、第１、第２の信号ワイヤ２３−１、２３−２が溝部６１Ａ、６２Ａ内に収容されるので、半田付けする際に信号ワイヤ２３−１、２３−２とドレンワイヤ２５とが誤って半田付けされることを防止することができる。よって、半田付け作業性を改善することができる。また、第１、第２の信号ワイヤ接続用部分５３ｃ、５４ｃが溝部６１Ａ、６２Ａ内に収容されるので、第１、第２の信号ワイヤ接続用部分５３ｃ、５４ｃの周囲に空気層の代わりに比誘電率の高い樹脂層を配置することができる。よって、特性インピーダンスを低減することができる。
【００６１】
また、図９（Ｂ）に示すように、側板部５３ｃ２はクランク曲げ部５３ｄによって中央部５３ａに対してＸ１方向に少し偏倚しているため、半田付けされた第１の信号ワイヤ２３−１は、コンタクト部５３ｂと同軸的に配置される。即ち、半田付けされた第１の信号ワイヤ２３−１の中心線とコンタクト部５３ｂの中心線とは一致している。同じく、側板部５４ｃ２はクランク曲げ部５４ｄによって中央部５４ａに対してＸ１方向に少し偏倚しているため、半田付けされた第２の信号ワイヤ２３−２は、コンタクト部５４ｂと同軸的に配置される。即ち、半田付けされた第２の信号ワイヤ２３−２の中心線とコンタクト部５４ｂの中心線とは一致している。
【００６２】
［シールドカバー組立体８０Ａ］
図１５は、シールドカバー組立体８０Ａを分解して示す図である。シールドカバー組立体８０Ａは、Ｚ１側に第１のシールドカバー８１Ａと、Ｚ２側に第２のシールドカバー９０Ａとを備える。第１、第２のシールドカバー８１Ａ、９０Ａは、共に金属板のプレス成形部品であり、組み合わされてコンタクト組立体５１Ａ、一対のロックアーム５６、５７、及びスペーサ６０Ａを囲む。
【００６３】
第１のシールドカバー８１Ａは、Ｚ１側に天板部８４Ａと、両側（Ｘ１側、Ｘ２側）に一対の側板部８６Ａと、背面側（Ｙ２側）に平衡伝送用ケーブル２０をクランプするリング部８５とを備える。天板部８４Ａには、複数の貫通孔が形成してあり、複数の貫通孔の各々からは、図１６に示すように、一対のロックアーム５６、５７のフック部５６ｃ、５７ｃ及び突起部５６ｄ、５７ｄの各々が突き出ている。天板部８４Ａには、Ｚ１方向に突き出した突起部８２、８３が形成してある。
【００６４】
第２のシールドカバー９０Ａは、Ｚ２側に底板部９４Ａと、両側（Ｘ１側、Ｘ２側）に一対の側板部９６Ａと、背面側（Ｙ２側）に背板部９７Ａとを備える。底板部９４Ａは、天板部８４Ａと離間して対向する。一対の側板部９６Ａの各々と一対の側板部８６Ａの各々とは嵌合されて、シールドカバー組立体８０Ａの側壁を構成する。背板部９７Ａには略半円状の窓部９７Ａｂが形成され、窓部９７Ａｂには平衡伝送用ケーブル２０が挿通される。
【００６５】
［フード１００及びアウタカバー１１０］
フード１００はリング部８５を覆い平衡伝送用ケーブル２０の根本を補強するものであり、アウタカバー１１０はシールドカバー組立体８０Ａを覆うものである。フード１００及びアウタカバー１１０は、シールドカバー組立体８０Ａにアウトサート成形して形成される。
【００６６】
次に、アウトサート成形の手順について図１６を参照して説明する。図１６は、フード１００及びアウタカバー１１０をアウトサート成形する工程を示す斜視図である。
【００６７】
最初に、図１６（Ａ）、（Ｂ）に示すように、操作部材３００を、その開口３０２、３０３を突起部８２、８３に係止させて位置を決めて、シールドカバー組立体８０Ａ上に、突起部５６ｄ、５７ｄを覆うようセットする。次いで、これを、成形金型内にセットし、アウトサート成形を行なう。アウトサート成形によって、図１６（Ｃ）に示すように、フード１００及びアウタカバー１１０が一体的に形成される。アウタカバー１１０はシールドカバー組立体８０Ａを覆うように形成され、フード１００はリング部８５を覆うように形成される。
【００６８】
アウトサート成形は、操作部材３００の操作部３０１の上面及び操作部３０１の縁に沿う部分については、樹脂で覆わないようにして行なわれる。図１７中、アウタカバー１１０のうち符号１１０ａで示す部分が操作部材３００のうちＹ２側の部分を覆っており、更に、符号１１０ｂで示す部分が開口３０２、３０３内を埋めている。操作部材３００は、上記の樹脂部分１１０ａ、１１０ｂによって、シールドカバー組立体８０Ａ上に固定される。
【００６９】
操作部材３００はＹ１側に操作部３０１を有し、操作部３０１は一対のロックアーム５６、５７の突起部５６ｄ、５７ｄの真上に位置している。操作部１１１を押し付けると、腕部５６ｂ、５７ｂが撓まされて、フック部５６ｃ、５７ｃが沈み込む。これにより、平衡伝送用ケーブルコネクタと相手コネクタとのロック状態が解除される。
【００７０】
ここで、シールドカバー組立体８０ＡはＹ２側に平衡伝送用ケーブル２０が挿通される窓部９７Ａｂを有していることから、アウトサート成形の際に樹脂がシールドカバー組立体８０ＡのＹ２側から内部への流れ込むことがある。そこで、後述するように、シールドカバー組立体８０Ａの内部のＹ２側には、インナーキャップ４００Ａが設けてある。
【００７１】
［インナーキャップ４００Ａ］
図１８は、平衡伝送用ケーブルコネクタを第１のシールドカバー８１Ａを取り外した状態で示す斜視図である。図１９は、図１８において第２のインナーキャップ４１０Ａを取り外した状態を示す斜視図である。図２０は、インナーキャップ４００Ａを分解して示す斜視図である。図２１は、シールドカバー組立体８０ＡのＹ２側の隙間が塞がれている状態を示す図であり、（Ａ）はＹ２側から見た外観図、（Ｂ）はＹ２側から見た断面図である。
【００７２】
インナーキャップ４００Ａは、図２０に示すように、Ｚ１側に第２のインナーキャップハーフ４１０Ａと、Ｚ２側に第１のインナーキャップハーフ４０１Ａとを備える。第１、第２のインナーキャップハーフ４０１Ａ、４１０Ａは、図１８及び図１９に示すように、合成樹脂成形部品であり、組み合わされてシールドカバー組立体８０Ａの内部のうちＹ２端の部分、即ち、平衡伝送用ケーブル２０がシールドカバー組立体８０Ａ内に入り込んでいる部位に配置され、シールドカバー組立体８０ＡのＹ２側の隙間を塞ぐ。
【００７３】
第１のインナーキャップハーフ４０１Ａは、図２０及び図２１に示すように、Ｚ２側に基板部４０２Ａと、両側（Ｘ１側、Ｘ２側）に一対の嵌合部４０３Ａ、４０４Ａと、背面側（Ｙ２側）に背板部４０５Ａとを備える。
【００７４】
基板部４０２Ａは、第２のシールドカバー９０Ａの底板部９４Ａと面接触する。
【００７５】
一対の嵌合部４０３Ａ、４０４Ａの各々は、シールドカバー組立体８０Ａの一対の側壁の各々の内面に嵌合される。嵌合部４０３Ａ、４０４Ａは、途中に段部４０３Ａａ、４０４Ａａを有し、Ｚ２端に切欠部４０３Ａｂ、４０４Ａｂを有し、外面に、リブ４０３Ａｃ、４０４Ａｃを有する。リブ４０３Ａｃ及びリブ４０４Ａｃは、それぞれ、段部４０３Ａａ、４０４ＡａからＺ１方向に延在して、第１のシールドカバー８１Ａの側面に圧接する。
【００７６】
背板部４０５Ａには、略半円状の窓部４０５Ａｂが形成され、窓部４０５Ａｂには、平衡伝送用ケーブル２０が挿通される。
【００７７】
第２のインナーキャップハーフ４１０Ａは、図２０及び図２１に示すように、Ｚ１側に基板部４１１Ａと、両側（Ｘ１側、Ｘ２側）に一対の対向部４１２Ａ、４１３Ａとを備える。
【００７８】
基板部４１１Ａは、第１のシールドカバー８１Ａの天板部８４Ａと面接触する。基板部４１１ＡのＸ１側の端面、及びＸ２側の端面には突起部４１５Ａが１つずつ形成してあり、一対の突起部４１５Ａは、切欠部４０３Ａｂ、４０４Ａｂに圧入されて嵌合される。
【００７９】
一対の対向部４１２Ａ、４１３Ａの外面は、一対の嵌合部４０３Ａ、４０４Ａの内面と離間して対向する。一対の対向部４１２Ａ、４１３Ａの外面と一対の嵌合部４０３Ａ、４０４Ａの内面との間に存在する一対の空間４２１Ａ、４２２Ａの各々には、一対のロックアーム５６、５７の他端（Ｕ字形状部５６ａ、５７ａ）の各々が収容される。また、一対の対向部４１２Ａ、４１３Ａの間には、平衡伝送用ケーブル２０が挿通される。
【００８０】
このように、シールドカバー組立体８０ＡのＸ１側面及びＸ２側面とインナーキャップ４００ＡのＸ２側面及びＸ１側面との間の隙間は、インナーキャップ４００Ａの外面に設けられたリブ４０３Ａｃ、４０４Ａｃがシールドカバー組立体８０Ａの内面に圧接されることによって塞がれている。また、シールドカバー組立体８０ＡのＹ２側の窓部９７Ａｂは、第２のインナーキャップハーフ４１０Ａの一対の対向部４１２Ａ、４１３ＡのＹ２側面及び平衡伝送用ケーブル２０によって塞がれている。
【００８１】
この構成によれば、シールドカバー組立体８０ＡのＹ２側の隙間を塞ぐことができるので、フード１００及びアウタカバー１１０をアウトサート成形する際に、樹脂がシールドカバー組立体８０Ａの内部に流れ込むことを防止することができる。
【００８２】
最後に、平衡伝送用ケーブルコネクタの組立工程を図２２を参照して説明する。図２２は、平衡伝送用ケーブルコネクタの組立工程の一部を示す斜視図である。
【００８３】
まず、第１のシールドカバー８１Ａの内部に第２のインナーキャップハーフ４１０Ａを押し込んで組み込む。次いで、平衡伝送用ケーブル２０の端をリング部８５でクランプしながら、図２２に示すように、平衡伝送用ケーブル２０の端と接続された状態のコンタクト組立体５１Ａを第２のインナーキャップハーフ４１０Ａ内に組み込む。次いで、第１のインナーキャップハーフ４０１Ａを第２のインナーキャップハーフ４１０Ａと組み合わせインナーキャップ４００Ａを組み立てる。最後に、第２のシールドカバー９０Ａを第１のインナーキャップハーフ４０１Ａを覆って、第１のシールドカバー８１Ａと嵌合させてシールドカバー組立体８０Ａを組み立てる。
【００８４】
図２１（Ｂ）に示したように、第１のシールドカバー８１Ａの内面と第２のインナーキャップハーフ４１０Ａの外面との間には、一対のロックアーム５６、５７をＹ２側からＹ１方向に挿通することができる一対の空間４２１Ａ、４２２Ａが存在する。従って、図２２に示したように、平衡伝送用ケーブル２０の端と接続されたコンタクト組立体５１ＡをＹ２側からＹ１方向に挿入する際に、一対のロックアーム５６、５７を弾性変形させる必要がなく、組立作業性を改善することができる。
【００８５】
以上、本発明の好ましい実施例について詳説したが、本発明は、上述した実施例に制限されることはなく、本発明の範囲を逸脱することなく、上述した実施例に種々の変形及び置換を加えることができる。
【図面の簡単な説明】
【００８６】
【図１】従来の平衡伝送用ケーブルコネクタを概略的に示す斜視図である。
【図２】図１の平衡伝送用ケーブルコネクタを分解して示す斜視図である。
【図３】平衡伝送用ケーブル２０の断面図である。
【図４】平衡伝送用ケーブル２０の端とコンタクト組立体５１との接続部分を示す図である。
【図５】インナーキャップ４００及びシールドカバー組立体８０を分解して示す斜視図である。
【図６】インナーキャップ４００とシールドカバー組立体８０との間の隙間が塞がれている状態を示す図である。
【図７】図１の平衡伝送用ケーブルコネクタの組立工程の一部を示す斜視図である。
【図８】本発明の平衡伝送用ケーブルコネクタの一実施例を分解して示す斜視図である。
【図９】平衡伝送用ケーブル２０の端とコンタクト組立体５１Ａとの接続部分を示す図である。
【図１０】コンタクト組立体５１Ａとスペーサ６０Ａとを対向させて示す斜視図である。
【図１１】第１の信号コンタクト５３を示す図である。
【図１２】第２の信号コンタクト５４を示す図である。
【図１３】グランドコンタクト５５Ａを示す図である。
【図１４】ロックアーム５６を示す図である。
【図１５】シールドカバー組立体８０Ａを分解して示す図である。
【図１６】フード１００及びアウタカバー１１０をアウトサート成形する工程を示す斜視図である。
【図１７】平衡伝送用ケーブルコネクタをロックアーム５７の位置で断面して示す図である。
【図１８】平衡伝送用ケーブルコネクタを第１のシールドカバー８１Ａを取り外した状態で示す斜視図である。
【図１９】図１８において第２のインナーキャップ４１０Ａを取り外した状態を示す斜視図である。
【図２０】インナーキャップ４００Ａを分解して示す斜視図である。
【図２１】シールドカバー組立体８０ＡのＹ２側の隙間が塞がれている状態を示す図である。
【図２２】平衡伝送用ケーブルコネクタの組立工程の一部を示す斜視図である。
【符号の説明】
【００８７】
２０    平衡伝送用ケーブル
２１    ペア電線
２３−１    第１の信号ワイヤ
２３−２    第２の信号ワイヤ
２５    ドレンワイヤ
５１Ａ    コンタクト組立体
５２    ブロック体
５３    第１の信号コンタクト
５３ｃ    第１の信号ワイヤ接続用部分
５３ｃ２    側板部
５４    第２の信号コンタクト
５４ｃ    第２の信号ワイヤ接続用部分
５４ｃ２    側板部
５５Ａ    グランドコンタクト
５５ｃ    板状部
５５Ａｄ    ドレンワイヤ接続用部分
５５０Ａｄ２    側板部
５６    ロックアーム
５６ｃ    フック部
６０    スペーサ
６１Ａ    第１の溝部
６１２Ａ    突出部
６２Ａ    第２の溝部
６２２Ａ    突出部
６３Ａ    スリット
８０Ａ    シールドカバー組立体
８１Ａ    第１のシールドカバー
８４Ａ    天板部
８５    リング部
９０Ａ    第２のシールドカバー
９４Ａ    底板部
９７Ａ    背板部
９７Ａｂ    窓部
４００Ａ    インナーキャップ
４０１Ａ    第１のインナーキャップハーフ
４０２Ａ    基板部
４０３Ａ、４０４Ａ    嵌合部
４０５Ａ    背板部
４０５Ａｂ    窓部
４１０Ａ    第２のインナーキャップハーフ
４１１Ａ    基板部
４１２Ａ、４１３Ａ    対向部
【図１】
2010097841.tif 000003
【図２】
2010097841.tif 000004
【図３】
2010097841.tif 000005
【図４】
2010097841.tif 000006
【図５】
2010097841.tif 000007
【図６】
2010097841.tif 000008
【図７】
2010097841.tif 000009
【図９】
2010097841.tif 000010
【図１０】
2010097841.tif 000011
【図１１】
2010097841.tif 000012
【図１２】
2010097841.tif 000013
【図１３】
2010097841.tif 000014
【図１４】
2010097841.tif 000015
【図１５】
2010097841.tif 000016
【図１６】
2010097841.tif 000017
【図１７】
2010097841.tif 000018
【図１８】
2010097841.tif 000019
【図１９】
2010097841.tif 000020
【図２０】
2010097841.tif 000021
【図２１】
2010097841.tif 000022
【図２２】
2010097841.tif 000023
【図８】
2010097841.tif 000024